(57)【要約】【課題】直径が異なる棒状固形物であっても使用可能な汎用性を有する棒状固形物の繰り出しホルダーを提供する。【解決手段】内周面に螺旋溝２ｃが形成された外筒２と、外筒２の内部に回転可能に設けられると共にその軸方向に長孔３ａが形成された内筒３と、内筒３の後端部に設けられ該内筒３を回転させるための操作摘み４と、棒状固形物の一端が嵌挿される短筒体であってその外周面に内筒３の長孔３ａから突出し且つ外筒２の螺旋溝２ｃに係合する突起５ａが設けられた棒状固形物保持体５とからなる棒状固形物の繰り出しホルダー１であって、棒状固形物保持体５の内周面を後端に向かうに従って窄むテーパ状に形成したことを特徴としている。【選択図】図２
2013094319.tif 000002
【特許請求の範囲】
【請求項１】
内周面に螺旋溝が形成された外筒と、前記外筒の内部に回転可能に設けられると共にその軸方向に長孔が形成された内筒と、前記内筒の後端部に設けられ該内筒を回転させるための操作摘みと、棒状固形物の一端が嵌挿される短筒体であってその外周面に前記内筒の長孔から突出し且つ前記外筒の螺旋溝に係合する突起が設けられた棒状固形物保持体とからなり、前記操作摘みによって前記内筒を回転させると前記棒状固形物保持体が該内筒内を移動して棒状固形物の先端部が前記外筒から出没自在となるようにした棒状固形物の繰出しホルダーにおいて、
前記棒状固形物保持体の内周面を後端に向かうに従って窄むテーパ状に形成したことを特徴とする棒状固形物の繰出しホルダー。
【請求項２】
前記テーパ状の棒状固形物保持体の内周面に複数の凸部を形成したことを特徴とする請求項１記載の棒状固形物の繰出しホルダー。
【請求項３】
前記凸部の先端を尖らせると共に、該凸部の繰り出しホルダー先端側に位置する面を繰り出しホルダーの後端側へ傾けてあることを特徴とする請求項２に記載の棒状固形物の繰出しホルダー。
【発明の詳細な説明】
【技術分野】
【０００１】
本発明は、チョークや口紅などの棒状固形物を収容し、該棒状固形物を回転操作によって繰り出せるようにしたホルダーに関するものである。
【背景技術】
【０００２】
チョークや口紅などの棒状固形物は、そのまま使用すると、手が汚れてしまったり、あるいは折れてしまうなどの問題があるため、該棒状固形物をホルダーに収容して使用することがある。
【０００３】
そして、このような棒状固形物に用いられるホルダーとして、下記特許文献１に記載されているものがある。この特許文献１に記載のものは、外筒４内に長孔２が形成された内筒３を設けると共に、該外筒４と内筒３の間に螺旋溝５を設けた中間筒６を設け、さらに、内筒３内に棒状固形物を載せるためのベース板９を設けて、該ベース板９の外周部に設けた突起１０を内筒３の長孔２から突出させ且つ中間筒６の螺旋溝に係合させて構成されており、中間筒６を回してベース板９を移動させることによって、棒状固形物の先端突出量を調整できるようになっている。
【先行技術文献】
【特許文献】
【０００４】
【特許文献１】特開２００２−３６７８３号公報
【発明の概要】
【発明が解決しようとする課題】
【０００５】
ここで、棒状固形物の一例であるチョークは、その直径が必ずしも一定ではなく、製造するメーカーごとに若干のばらつきがある。また、棒状固形物といっても、チョークと口紅のような異種物品間では、必然的にその直径が異なっている。
【０００６】
しかしながら、上述した従来の棒状固形物ホルダーの場合、棒状固形物を載置、保持し、棒状固形物を繰り出すベース板の内径が決まっているため、その内径に合致しないものに利用すると、棒状固形物がホルダー内部でがたついてしまって安定せず、ひいては使用に支障を来してしまうおそれがある。
【０００７】
そこで、本発明は、従来の棒状固形物のホルダーに存在している上記問題点を解決すべく、直径が異なる棒状固形物であっても使用可能な汎用性を有する棒状固形物の繰り出しホルダーを提供することを目的としている。
【課題を解決するための手段】
【０００８】
かかる目的を達成するため本発明に係る棒状固形物の繰り出しホルダーは、内周面に螺旋溝が形成された外筒と、前記外筒の内部に回転可能に設けられると共にその軸方向に長孔が形成された内筒と、前記内筒の後端部に設けられ該内筒を回転させるための操作摘みと、棒状固形物の一端が嵌挿される短筒体であってその外周面に前記内筒の長孔から突出し且つ前記外筒の螺旋溝に係合する突起が設けられた棒状固形物保持体とからなり、前記操作摘みによって前記内筒を回転させると前記棒状固形物保持体が該内筒内を移動して棒状固形物の先端部が前記外筒から出没自在となるようにした棒状固形物の繰出しホルダーにおいて、前記棒状固形物保持体の内周面を後端に向かうに従って窄むテーパ状に形成したことを特徴としている。
【０００９】
また、請求項２に係る棒状固形物の繰り出しホルダーは、前記テーパ状の棒状固形物保持体の内周面に複数の凸部を形成したことを特徴としている。
【００１０】
さらに、請求項３に係る棒状固形物の繰り出しホルダーは、前記凸部の先端を尖らせると共に、該凸部の繰り出しホルダー先端側に位置する面を繰り出しホルダーの後端側へ傾けてあることを特徴としている。
【発明の効果】
【００１１】
本発明に係る棒状固形物の繰り出しホルダーは、棒状固形物を保持して繰り出す棒状固形物保持体の内周面を後端に向かうに従って窄むテーパ状に形成したことから、直径が異なる棒状固形物であっても、その後端部を強固に支持し、該棒状固形物がホルダー内でがたつくことを防止して安定した状態で使用することを可能としている。また、直径が異なる棒状固形物であっても使用できるようにしたことで、異種の棒状固形物であっても、１つのホルダーで汎用的に対応することを可能としている。
【図面の簡単な説明】
【００１２】
【図１】本発明に係る棒状固形物の繰り出しホルダーの分解斜視図
【図２】本発明に係る棒状固形物の繰り出しホルダー固定装置の側面断面図
【図３】棒状固形物保持体の挟持部の他の実施形態を示す部分拡大図
【発明を実施するための形態】
【００１３】
以下、本発明に係る棒状固形物の繰り出しホルダーの実施の形態を図面に基づき詳しく説明する。なお、ここでは、本発明に係る棒状固形物の繰り出しホルダーをチョーク（白墨）に使用した場合を例として説明する。
【００１４】
図１は、本実施の形態に係る棒状固形物の繰り出しホルダーの外観斜視図、本実施形態に係る棒状固形物の繰り出しホルダー固定装置の側面断面図である。棒状固形物の繰り出しホルダー１は、外筒２と、外筒２の内部に設けられる内筒３と、内筒３の後端部に設けられた操作摘み４と、棒状固形物の一端が嵌挿される短筒体からなり、内筒３の内部を軸方向に移動自在に設けられた棒状固形物保持体５と、外筒２の前端部に装着されるキャップ６とによって構成されている。
【００１５】
前記外筒２は、両端部が開放された筒体で、チョークを挿入可能な長さを有する円筒状の胴体筒部２ａと、該胴体筒部２ａと一体的に続くと共に先端に向かうに従って窄まる円錐台形状の頭部２ｂとからなり、該胴体筒部２ａの内周面には、その略全長に亘って螺旋溝２ｃが形成されている。また、胴体筒部２ａの後端側外周面には、後述する操作摘み４を装着するための凸部２ｄが環状に周設されていると共に、胴体筒部２ａの先端側外周面には、後述するキャップ６を装着するための雄螺子部２ｅが形成されている。一方、外筒２の頭部２ｂには、４本の切り込み２ｆが放射状に形成されていて、その弾性変形によって開口部２ｇが縮径可能になっている。
【００１６】
前記内筒３は、外径が外筒２の内径よりも若干小さく、長さが外筒２の胴体筒部２ａと略同じ寸法の筒体で、その周壁には軸方向に沿って３本の長孔３ａが等間隔に穿設されている。また、内筒３の後端部には、フランジ３ｂが形成されており、該フランジ３ｂに内筒３よりも太径のリング３ｃが固着されている。
【００１７】
前記操作摘み４は、一方が閉塞され、他方が開放された短筒体からなり、その内径が外筒２の外径よりも若干大きく、且つ内筒３のリング３ｃの外径と同径になっている。そして、操作摘み４の内側に内筒３の後端部が嵌合されていて、内筒３のリング３ｃ外周面と操作摘み４の内周面の接触部分を接着することによって、操作摘み４と内筒３とを一体化している。さらに、操作摘み４の開放側内周面には、係合溝４ａが形成されていて、該係合溝４ａと外筒２の凸部２ｄとが嵌まり合うことで、操作摘み４が外筒２に回転可能に装着されるようになっている。なお、操作摘み４は、内筒３と一体化しているため、操作摘み４を回転操作すると、同時に内筒３が外筒２内で回転することになる。
【００１８】
前記棒状固形物保持体５は、一方が閉塞され、他方が開放された短筒体で、その外径は、内筒３の内径よりも若干小さくなっている。また、棒状固形物保持体５の外周面には、内筒３の長孔３ａに挿入されると共に、外筒２の螺旋溝２ｃに嵌る突起５ａが等間隔で３本設けられている。他方、棒状固形物保持体５の内側には、シリコン、ゴムなどの弾性体からなりチョークの後端を支持する挟持部５ｂが装着されており、この挟持部５ｂの内周面は、後端に向かうに従って窄むテーパ状になっている。なお、棒状固形物の繰り出しホルダー１を組み立てる場合、予め棒状固形物保持体５を内筒３内に挿入しておき、その後に内筒３と操作摘み４とを接着して一体化させることになる。
【００１９】
前記キャップ６は、両端部が開放され、外筒２の胴体筒部２ａを覆う円筒部６ａと、外筒２の頭部２ｂを覆う先端筒部６ｂとからなっており、円筒部６ａの内周面には、外筒２の胴体筒部２ａの雄螺子部２ｅと螺合する雌螺子部６ｃが形成されている。従って、キャップ６を外筒２の頭部２ｂ側から被せて回転させることで、キャップ６を外筒２に嵌めたり、あるいはキャップ６を外筒２から外したりすることができるようになっている。また、キャップ６の先端筒部６ｂの開口部６ｄの内周縁には、他の部分よりも肉厚にした押圧部６ｅが形成されていて、図２の想像線で示したように、キャップ６を回転させ、キャップ６を外筒２に締めこむと、該押圧部６ｅが外筒２の頭部２ｂの先端部分を押圧し該頭部２ｂを縮径させるようになっている。
【００２０】
次に上記のように構成された本実施形態に係る棒状固形物の繰り出しホルダーにチョークを装着する方法、及び取り外し方法について説明する。棒状固形物の繰り出しホルダー１に、チョークを装着する場合、あらかじめキャップ６の螺子を緩めておき、キャップ６の開口部６ｃからチョークを挿入する。この時、外筒２の開口部２ｇは、縮径していないので、チョークは外筒２の開口部２ｇから内筒３内へと挿入されることになる。そして、チョークの後端が棒状固形物保持体５の挟持部５ｂの内周面に当るまでチョークを挿入する。次いで、操作摘み４を回転させて、チョークの先端部がキャップ６の開口部６ｄから適当な長さ突出するように調節する。すなわち、操作摘み４を回転させると、これと一体になっている内筒３も一緒に回転すると共に、内筒３内に設けられた棒状固形物保持体５も、その突起５ａが内筒３の長孔３ａに挿入されているので内筒３と一緒に回転する。さらに、棒状固形物保持体５は、その突起５ａが外筒２の螺旋溝２ｃに係合していることから、外筒２の螺旋溝２ｃに沿って回転しながら軸方向に移動することになる。そのため、棒状固形物保持体５に支持されているチョークも操作摘み４を回転させることで、軸方向へ自在に移動させることができ、キャップ６の開口部６ｄから突出させるチョークの長さを調節することができる。このような手順で、チョークの先端突出量を調節したら、次にキャップ６を時計回り方向へ回転させて螺子を締める。この時、図２の想像線に示すように、キャップ６が螺子を締める方向へと回転するに伴って、キャップ６は、繰り出しホルダー１の後端側へと移動することになる。そのため、キャップ６の開口部６ｃの内周縁に形成されている押圧部６ｅが外筒２の頭部２ｂ先端を内側へ押し込んでいくことになり、その結果、外筒２の開口部２ｅが縮径され、チョークの先端部側がしっかりと挟持されることになる。この状態において、チョークは、その後端が棒状固形物保持体５の挟持部５ｂに支持されると共に、その先端部が外筒２の頭部２ｂに支持されて、棒状固形物の繰り出しホルダー１に装着されたことになる。
【００２１】
なお、本実施形態に係る棒状固形物の繰り出しホルダー１は、棒状固形物保持体５の挟持部５ｂ内周面を後端に向かうに従って窄むテーパ状に形成してあるため、繰り出しホルダー１内に直径が異なるチョークを挿入しても、その後端が棒状固形物保持体５の挟持部５ｂ内周面のいずれかの箇所に必ず支持されることになる。従って、後は、キャップ６の螺子を締めて、チョークの先端部を固定してやれば、チョークの後端もしっかりと固定され、チョークが繰り出しホルダー１内でがたついてしまうことを防止できる。なお、図２では、実線で太径のチョークを装着した場合を示し、想像線でそれよりも細径のチョークを装着した場合を示している。
【００２２】
一方、棒状固形物の繰り出しホルダー１からチョークを取り外す場合は、単にキャップ６を反時計回り方向に回転させて、キャップ６の螺子を緩め、そのままチョークを抜き取ればよい。すなわち、キャップ６の螺子を緩めれば、内側に押し込まれて縮径していた外筒２の頭部２ｂが再びもとの状態に戻り、チョークは、どこにも支持されていないことになるので、そのまま抜き取ることができる。
【００２３】
図３は、棒状固形物保持体５の内部に設けられた挟持部の他の実施形態を示すものである。この図３に示す挟持部５ｂは、その内周面に先端を尖らせた断面鋸歯状の凸部５ｃが軸方向に連続し、且つ環状に周設されている。また、当該凸部５ｃは、その繰り出しホルダー１先端側に位置する面が繰り出しホルダー１の後端側へ下傾するようになっている。すなわち、先鋭な凸部５ｃの先端がすべて繰り出しホルダー１の後端側へ向くように周設されている。このように挟持部５ｂを構成することで、チョークの後端を挟持部５ｂに挿入する場合には、チョークの後端が挟持部５ｂの凸部５ｃ先端を押し込むようにしながら挟持部５内に入っていくので、余分な力を掛けることなく簡単に挿入することが可能である。他方、チョークの後端部が挟持部５内に支持されると、チョークの後端部と挟持部５との接触面が多くなって、チョークの後端部が凸部５ｃに包み込まれるように支持されて抜けにくくなり、しっかりと固定されることになる。なお、この実施形態の挟持部５の凸部５ｃは、挟持部５の内周面に環状に周設した例を示したが、凸部５ｃは、必ずしも周設する必要はなく、挟持部５の内周面に散点させて設けてもよい。また、この実施形態の挟持部５の凸部５ｃは、その先端を尖らせた例を示したが、必ずしも先端を尖らせる必要はなく、先端に若干の丸みをもたせて形成してもよい。
【００２４】
なお、以上説明した実施形態に係る棒状固形物の繰り出しホルダー１は、いずれも棒状固形物保持体５の内部に別途挟持部５ｃを設けた例を説明したが、棒状固形物保持体５の内周面自体を後端に向かうに従って窄むテーパ状に形成してもよく、また、テーパ状に形成されている棒状固形物保持体５の内周面に複数の凸部を形成してもよい。
【符号の説明】
【００２５】
１        棒状固形物の繰り出しホルダー
２        外筒
２ｃ      螺旋溝
３        内筒
３ａ      長孔
４        操作摘み
５        棒状固形物保持体
５ａ      突起
【図１】
2013094319.tif 000003
【図２】
2013094319.tif 000004
【図３】
2013094319.tif 000005